(57)【要約】      （修正有）【課題】荷重の向上が可能な伸縮管構造を提供する。【解決手段】前記伸縮管の外管１０の挿嵌端に内管の緊迫固定を可能とするカラー３０を有し、前記内管の頂縁近傍箇所に前記内、外管との二重固定を可能とする押圧調節装置が設けられ、前記押圧調節装置は、押引動作部材と、管被覆部材５０と、引張り棒部材６０と、当接ブロックとを備え、前記当接ブロックにより内管２０の底端の管口箇所に枢着されると共に、前記引張り棒部材の底端に枢着される滑車６２と互いに外向きに引っ張る張力を生じさせて内、外管を固定したり、内収縮を呈する内、外管を調節可能に伸縮したりすることにより、前記伸縮管が過重な荷重やカラーの磨耗による固定が不確実になる要素に至らずに済むことが確かめられることから、前記伸縮管の固定質量を向上させる。【選択図】図１
0003221773.tif 000002
【実用新案登録請求の範囲】
【請求項１】
荷重の向上が可能な伸縮管構造であって、前記伸縮管の外管の挿嵌端に内管の緊迫固定を可能とするカラーを有し、前記内管の頂縁近傍箇所に前記内管と前記外管との二重固定を可能とする押圧調節装置が設けられ、前記押圧調節装置は、枢着座と押引釦とからなる押引動作部材と、前記内管の管口箇所に覆設される管被覆部材と、引張り棒部材と、当接ブロックとを備え、
前記枢着座が前記内管の頂縁近傍側辺の開口箇所に固定され、その内部に前記押引釦を枢着するための前記開口に対応する貫通延在口が設けられ、前記押引釦の内側端が前記内管内に延入し、その外側端が前記内管外へ突出し、
内スリーブと、外スリーブとが相互に重ね合わされてなる前記管被覆部材の内部に弾性部材が並設され、
前記引張り棒部材の一端が前記管被覆部材内まで延びて前記弾性部材による突き当てを受け、その他端には前記内管の底端口から延出されると共に、滑車が枢着され、また、前記引張り棒部材の棒体が前記押引動作部材の前記押引釦に位置する位置箇所に当止片が固設され、前記押引釦の内端が前記当止片の上縁に位置し、
前記当接ブロックが前記内管の底端の管口箇所に枢着されて外部露出状を呈し、前記引張り棒部材の前記滑車と互いに当接可能な一側が平らな当接面に形成されることを特徴とする、荷重の向上が可能な伸縮管構造。
【請求項２】
前記枢着座の前記貫通延在口の両側に枢着耳が設けられ、前記押引釦の中間に前記枢着座の前記枢着耳と共に枢軸を介して枢着される枢着孔が設けられ、その内側端が切欠き溝を有する延伸当接部であり、その外側端が上向きの弧凹状取っ手部に形成されることを特徴とする、請求項１に記載の荷重の向上が可能な伸縮管構造。
【請求項３】
前記管被覆部材の前記外スリーブの頂部が当接縁を有する開放端であり、前記外スリーブ内に係止スロットが並設されて、前記外スリーブの底部が貫通孔を有する閉鎖端であり、前記閉鎖端の前記貫通孔内に環状凹座が凸設され、前記内スリーブの頂部が蓋縁を有する閉鎖端であり、その底部が開放端であり、前記内スリーブの胴体に前記係止スロットに相対する環状凸縁が並設されることで、前記内スリーブと、前記外スリーブとを相互に重ね合わせて固定されることを特徴とする、請求項１に記載の荷重の向上が可能な伸縮管構造。
【請求項４】
前記弾性部材が圧縮ばねであることを特徴とする、請求項１に記載の荷重の向上が可能な伸縮管構造。
【請求項５】
前記引張り棒部材が前記管被覆部材内まで延びる末端箇所に弾性部材を押し付けるためのワッシャーが締付されることを特徴とする、請求項１に記載の荷重の向上が可能な伸縮管構造。
【請求項６】
前記押引釦の内側端に延伸当接部が設けられ、前記延伸当接部が前記引張り棒部材の前記当止片の上縁に位置すると共に、前記延伸当接部に前記引張り棒部材の棒体を貫通延在するために供される切欠き溝が設けられることを特徴とする、請求項１に記載の荷重の向上が可能な伸縮管構造。
【請求項７】
前記当接ブロックの平らな当接面の両側に平行側片が設けられ、前記２つの平行側片の頂縁近傍に前記内管の底端の管口箇所の径方向貫通孔と共に栓部材を介して枢着される枢孔が設けられ、また、前記平らな当接面に枢孔端から、前記引張り棒部材の棒体の貫通延在を丁度許容する溝スロットが開設されることを特徴とする、請求項１に記載の荷重の向上が可能な伸縮管構造。
【考案の詳細な説明】
【技術分野】
【０００１】
本考案は、伸縮管の技術分野を提供し、特に、その技術上、荷重の向上が可能な伸縮管構造の設計を提供するものである。
【背景技術】
【０００２】
従来の伸縮管の使用用途が非常に広汎であり、例えば、高さを調節可能な伸縮スタンドや吊り下げスタンドなどに使用され、いずれも伸縮管の外管の挿嵌端に内管を緊迫固定するためのカラーが設置され、しかしながら、前記カラーの荷重にある限界や使用による磨耗などの要素が絡み合って荷重が不確定になる不都合がある。
【考案の概要】
【考案が解決しようとする課題】
【０００３】
本考案の目的は、伸縮管の既有の固定用カラーに二重固定を可能とする前記内、外管の押圧調節装置を増設することで、前記伸縮管が過重な荷重やカラーの磨耗による固定が不確実になる要素に至らずに済むことが確かめられ、滑り脱落するおそれがない荷重の向上が可能な伸縮管構造を提供することである。
【課題を解決するための手段】
【０００４】
上記の目的を達成するために、本考案は、荷重の向上が可能な伸縮管構造を提供し、前記伸縮管の外管の挿嵌端に内管の緊迫固定を可能とするカラーを有し、前記内管の頂縁近傍箇所に前記内、外管との二重固定を可能とする押圧調節装置が設けられ、前記押圧調節装置は、押引動作部材と、管被覆部材と、引張り棒部材と、当接ブロックとを備える。
【考案の効果】
【０００５】
前記当接ブロックにより内管の底端の管口箇所に枢着されると共に、前記引張り棒部材の底端に枢着される滑車と互いに外向きに引っ張る張力を生じさせて内、外管を固定したり、内収縮を呈する内、外管を調節可能に伸縮したりすることによって、前記伸縮管の固定質量を向上させる。
【図面の簡単な説明】
【０００６】
【図１】本考案の分解斜視図である。
【図２】本考案の緊迫固定状態を示す断面図である。
【図３】本考案の調節可能状態を示す断面図である。
【考案を実施するための形態】
【０００７】
図１〜図３に示すように、本考案に係る荷重の向上が可能な伸縮管構造において、前記伸縮管Ａの外管１０の挿嵌端に内管２０の緊迫固定を可能とするカラー３０を有し、前記内管２０の頂縁近傍箇所に前記内管２０と、外管１０との二重固定を可能とする押圧調節装置が設けられ、前記押圧調節装置は、押引動作部材４０と、管被覆部材５０と、引張り棒部材６０と、当接ブロック７０とを備える。
【０００８】
押引動作部材４０は、枢着座４１と押引釦４２とからなり、前記枢着座４１が内管２０の頂縁近傍側辺の開口２１箇所に固定され、その内部に押引釦４２を枢着するための開口２１に対応する貫通延在口４１０が設けられ、前記押引釦４２の内側端が内管２０内に延入し、その外側端が内管２０外へ突出し、本実施例において、前記枢着座４１の貫通延在口４１０の両側に枢着耳４１１が設けられ、前記押引釦４２の中間に枢着座４１の枢着耳４１１と共に枢軸４３を介して枢着される枢着孔４２０が設けられ、その内側端が切欠き溝４２１を有する延伸当接部４２２であり、その外側端が上向きの弧凹状取っ手部４２３に形成される。
【０００９】
内管２０の管口箇所に覆設される管被覆部材５０は、内スリーブ５１と、外スリーブ５２とが相互に重ね合わされてなり、その内部に弾性部材５３が並設され、本実施例において、前記外スリーブ５２の頂部が当接縁５２０を有する開放端であり、外スリーブ５２内に係止スロット５２１が並設されて、前記外スリーブ５２の底部が貫通孔５２２を有する閉鎖端であり、前記閉鎖端の貫通孔５２２内に環状凹座５２３が凸設され、前記内スリーブ５１の頂部が蓋縁５１０を有する閉鎖端であり、その底部が開放端であり、前記内スリーブ５１の胴体に係止スロット５２１に相対する環状凸縁５１１が並設されることで、前記内スリーブ５１と、外スリーブ５２とを相互に重ね合わせて固定される。前記弾性部材５３が圧縮ばねであり、前記外スリーブ５２の閉鎖端の環状凹座５２３と、内スリーブ５１との間に収容配置される。
【００１０】
前記引張り棒部材６０の一端が管被覆部材５０内まで延びる末端箇所に弾性部材５３を押し付けるためのワッシャー６１が締付され、その他端には内管２０の底端口から延出されると共に、滑車６２が枢着され、また、前記引張り棒部材６０が前記押引動作部材４０の押引釦４２に位置する位置箇所に当止片６３が固設され、前記押引釦４２の内側端に設けられる延伸当接部４２２が前記当止片６３の上縁に位置すると共に、前記延伸当接部４２２の切欠き溝４２１が、前記引張り棒部材６０の棒体６４の貫通延在のために丁度供される。
【００１１】
前記当接ブロック７０が内管２０の底端の管口箇所に枢着されて外部露出状を呈し、前記引張り棒部材６０の滑車６２と互いに当接可能な一側が平らな当接面７１に形成され、本実施例において、前記当接ブロック７０の平らな当接面７１の両側に平行側片７２が設けられ、前記２つの平行側片７２の頂縁近傍に内管２０の底端の管口箇所の径方向貫通孔２２と共に栓部材２３を介して枢着される枢孔７３が設けられ、また、前記平らな当接面７１に枢孔７３端から、引張り棒部材６０の棒体６４の貫通延在を丁度許容する溝スロット７４が開設される。
【００１２】
而して、上記構成部材の組立によれば、前記押圧調節装置の引張り棒部材６０の上端が管被覆部材５０中の弾性部材５３の当接突き合わせを受けることで、前記引張り棒部材６０は、常態において上向きに突き当てられる弾性力を持つことから、前記引張り棒部材６０の底端に枢着される滑車６２を内管２０の底端に枢着される当接ブロック７０と接触させ、再び滑車６２を介して当接ブロック７０の平らな当接面７１に圧迫して互いに外向きに引っ張る張力を生じさせることで、前記内管２０を前記滑車６２と当接ブロック７０との外張る作用力を付与することにより、外管１０の内壁に当接緊着するように迫り出して位置決めを果たすものであり（図２参照）、使用者が伸縮管Ａの高さ位置を調整しようとする場合には、押引動作部材４０の押引釦４２を上向きに引き押し、前記押引釦４２の内側端の延伸当接部４２２が、引張り棒部材６０上の当止片６３を介して前記引張り棒部材６０を押下することができ、その底端の滑車６２が当接ブロック７０と互いに当接する状態から離脱し（図３参照）、このようにして使用者が内管２０を自由に外管１０内に上下に伸縮変位させ、使用者の調整しようとした伸縮管Ａの高度までに達した後、押引釦４２を解放すれば、固定状態になるように復帰することができる。
【００１３】
有利なのは、本願の伸縮管Ａの内管２０に受承される押下力が大きくなればなるほど、その底端に枢着される当接ブロック７０が引張り棒部材６０の滑車６２と接触する圧力は大きくなり、即ち、両者間に生じる互いに外向きに引っ張る張力も大きくなるため、受承する重量が重くなればなるほど、内管２０と外管１０の緊迫力も大きくなるので、前記内管２０と外管１０との間の固定をより一層緊密にすることが確実にできる。
【符号の説明】
【００１４】
Ａ          伸縮管
１０        外管
２０        内管
２１        開口
２２        径方向貫通孔
２３        栓部材
３０        カラー
４０        押引動作部材
４１        枢着座
４１０      貫通延在口
４１１      枢着耳
４２        押引釦
４２０      枢着孔
４２１      切欠き溝
４２２      延伸当接部
４２３      弧凹状取っ手部
４３        枢軸
５０        管被覆部材
５１        内スリーブ
５１０      蓋縁
５１１      環状凸縁
５２        外スリーブ
５２０      当接縁
５２１      係止スロット
５２２      貫通孔
５２３      環状凹座
５３        弾性部材
６０        引張り棒部材
６１        ワッシャー
６２        滑車
６３        当止片
６４        棒体
７０        当接ブロック
７１        平らな当接面
７２        平行側片
７３        枢孔
７４        溝スロット
【図１】
0003221773.tif 000003
【図２】
0003221773.tif 000004
【図３】
0003221773.tif 000005
【手続補正書】
【提出日】平成31年4月3日(2019.4.3)
【手続補正１】
【補正対象書類名】実用新案登録請求の範囲
【補正対象項目名】請求項１
【補正方法】変更
【補正の内容】
【請求項１】
荷重の向上が可能な伸縮管構造であって、前記伸縮管の外管の挿嵌端に内管の緊迫固定を可能とするカラーを有し、前記内管の頂縁近傍箇所に前記内管と前記外管との二重固定を可能とする押圧調節装置が設けられ、前記押圧調節装置は、枢着座と押引釦とからなる押引動作部材と、前記内管の管口箇所に覆設される管被覆部材と、引張り棒部材と、当接ブロックとを備え、
前記枢着座が前記内管の頂縁近傍側辺の開口箇所に固定され、前記枢着座の内部に前記押引釦を枢着するための前記開口に対応する貫通延在口が設けられ、前記押引釦の内側端が前記内管内に延入し、前記押引釦の外側端が前記内管外へ突出し、
内スリーブと、外スリーブとが相互に重ね合わされてなる前記管被覆部材の内部に弾性部材が並設され、
前記引張り棒部材の一端が前記管被覆部材内まで延びて前記弾性部材による突き当てを受け、前記引張り棒部材の他端には前記内管の底端口から延出されると共に、滑車が枢着され、また、前記引張り棒部材の棒体が前記押引動作部材の前記押引釦に位置する位置箇所に当止片が固設され、前記押引釦の内端が前記当止片の上縁に位置し、
前記当接ブロックが前記内管の底端の管口箇所に枢着されて外部露出状を呈し、前記引張り棒部材の前記滑車と互いに当接可能な一側が平らな当接面に形成されることを特徴とする、荷重の向上が可能な伸縮管構造。
【手続補正２】
【補正対象書類名】実用新案登録請求の範囲
【補正対象項目名】請求項２
【補正方法】変更
【補正の内容】
【請求項２】
前記枢着座の前記貫通延在口の両側に枢着耳が設けられ、前記押引釦の中間に前記枢着座の前記枢着耳と共に枢軸を介して枢着される枢着孔が設けられ、前記押引釦の内側端が切欠き溝を有する延伸当接部であり、前記押引釦の外側端が上向きの弧凹状取っ手部に形成されることを特徴とする、請求項１に記載の荷重の向上が可能な伸縮管構造。
【手続補正３】
【補正対象書類名】明細書
【補正対象項目名】０００８
【補正方法】変更
【補正の内容】
【０００８】
押引動作部材４０は、枢着座４１と押引釦４２とからなり、前記枢着座４１が内管２０の頂縁近傍側辺の開口２１箇所に固定され、枢着座４１の内部に押引釦４２を枢着するための開口２１に対応する貫通延在口４１０が設けられ、前記押引釦４２の内側端が内管２０内に延入し、押引釦４２の外側端が内管２０外へ突出し、本実施例において、前記枢着座４１の貫通延在口４１０の両側に枢着耳４１１が設けられ、前記押引釦４２の中間に枢着座４１の枢着耳４１１と共に枢軸４３を介して枢着される枢着孔４２０が設けられ、押引釦４２の内側端が切欠き溝４２１を有する延伸当接部４２２であり、押引釦４２の外側端が上向きの弧凹状取っ手部４２３に形成される。
【手続補正４】
【補正対象書類名】明細書
【補正対象項目名】００１０
【補正方法】変更
【補正の内容】
【００１０】
前記引張り棒部材６０の一端が管被覆部材５０内まで延びる末端箇所に弾性部材５３を押し付けるためのワッシャー６１が締付され、引張り棒部材６０の他端には内管２０の底端口から延出されると共に、滑車６２が枢着され、また、前記引張り棒部材６０が前記押引動作部材４０の押引釦４２に位置する位置箇所に当止片６３が固設され、前記押引釦４２の内側端に設けられる延伸当接部４２２が前記当止片６３の上縁に位置すると共に、前記延伸当接部４２２の切欠き溝４２１が、前記引張り棒部材６０の棒体６４の貫通延在のために丁度供される。